【手続補正書】
【提出日】平成29年6月26日(2017.6.26)
【手続補正１】
【補正対象書類名】明細書
【補正対象項目名】０００６
【補正方法】変更
【補正の内容】
【０００６】
上記課題を解決するため、本発明に係る制御装置は、
共通の被写体を同期して撮像する複数の撮像装置の中で、各撮像装置の撮像条件を連携させる処理の親機となる撮像装置を、前記共通の被写体の撮像に関する各撮像装置の状態に基づいて選択する選択手段と、前記選択手段により選択された、親機となる撮像装置による前記共通の被写体の撮像に際して取得される親機関連情報、或いは、親機となる撮像装置の撮像条件の設定に際して判断される親機関連情報を取得する第１取得手段と、前記第１取得手段により取得された親機関連情報、に基づいて、前記複数の撮像装置の撮像条件を決定する決定手段と、を備えたことを特徴としている。
【手続補正２】
【補正対象書類名】明細書
【補正対象項目名】０００７
【補正方法】変更
【補正の内容】
【０００７】
また、本発明に係る制御システムは、
共通の被写体を同期して撮像する複数の撮像装置と、これらを制御する制御装置とを備える制御システムであって、前記制御装置は、前記複数の撮像装置の中で、各撮像装置の撮像条件を連携させる処理の親機となる撮像装置を、前記共通の被写体の撮像に関する各撮像装置の状態に基づいて選択する選択手段と、前記選択手段により選択された、親機となる撮像装置による前記共通の被写体の撮像に際して取得される親機関連情報、或いは、親機となる撮像装置の撮像条件の設定に際して判断される親機関連情報、を取得する取得手段と、前記取得手段により取得された親機関連情報に基づいて、前記複数の撮像装置の撮像条件を決定する決定手段と、を備えたことを特徴としている。
【手続補正３】
【補正対象書類名】明細書
【補正対象項目名】０００８
【補正方法】変更
【補正の内容】
【０００８】
また、本発明に係る制御方法は、
共通の被写体を同期して撮像する複数の撮像装置を制御する制御装置を用いた制御方法であって、前記複数の撮像装置の中で、各撮像装置の撮像条件を連携させる処理の親機となる撮像装置を、前記共通の被写体の撮像に関する各撮像装置の状態に基づいて選択する処理と、選択された、親機となる撮像装置による前記共通の被写体の撮像に際して取得される親機関連情報、或いは、親機となる撮像装置の撮像条件の設定に際して判断される親機関連情報、を取得する処理と、取得された親機関連情報に基づいて、前記複数の撮像装置の撮像条件を決定する処理と、を含むことを特徴としている。
【手続補正４】
【補正対象書類名】明細書
【補正対象項目名】０００９
【補正方法】変更
【補正の内容】
【０００９】
また、本発明に係るプログラムは、
共通の被写体を同期して撮像する複数の撮像装置を制御する制御装置のコンピュータを、前記複数の撮像装置の中で、各撮像装置の撮像条件を連携させる処理の親機となる撮像装置を、前記共通の被写体の撮像に関する各撮像装置の状態に基づいて選択する選択手段、前記選択手段により選択された、親機となる撮像装置による前記共通の被写体の撮像に際して取得される親機関連情報、或いは、親機となる撮像装置の撮像条件の設定に際して判断される親機関連情報、を取得する取得手段、前記取得手段により取得された親機関連情報に基づいて、前記複数の撮像装置の撮像条件を決定する決定手段、として機能させることを特徴としている。
【手続補正５】
【補正対象書類名】特許請求の範囲
【補正対象項目名】全文
【補正方法】変更
【補正の内容】
【特許請求の範囲】
【請求項１】
共通の被写体を同期して撮像する複数の撮像装置の中で、各撮像装置の撮像条件を連携させる処理の親機となる撮像装置を、前記共通の被写体の撮像に関する各撮像装置の状態に基づいて選択する選択手段と、
前記選択手段により選択された、親機となる撮像装置による前記共通の被写体の撮像に際して取得される親機関連情報、或いは、親機となる当該撮像装置の撮像条件の設定に際して判断される親機関連情報、を取得する第１取得手段と、
前記第１取得手段により取得された親機関連情報に基づいて、前記複数の撮像装置の撮像条件を決定する決定手段と、
を備えたことを特徴とする制御装置。
【請求項２】
前記選択手段は、前記複数の撮像装置の中で、前記共通の被写体を最も良い状態で撮像している撮像装置を親機として選択することを特徴とする請求項１に記載の制御装置。
【請求項３】
前記選択手段は、前記複数の撮像装置の中で、前記共通の被写体を各々の構図のより中央に近い位置で撮像している撮像装置を親機として選択することを特徴とする請求項２に記載の制御装置。
【請求項４】
前記選択手段は、前記複数の撮像装置の中で、前記共通の被写体をより近い距離で撮像している撮像装置を親機として選択することを特徴とする請求項２に記載の制御装置。
【請求項５】
前記選択手段は、前記複数の撮像装置の中で、前記共通の被写体を各々の構図内で最も広い面積を有するように撮像している撮像装置を親機として選択することを特徴とする請求項２に記載の制御装置。
【請求項６】
前記決定手段は、前記親機となる撮像装置の撮像条件を決定し、決定された撮像条件に基づいて、前記複数の撮像装置の中で前記親機以外の子機となる撮像装置の撮像条件を決定することを特徴とする請求項１〜５の何れか一項に記載の制御装置。
【請求項７】
前記第１取得手段は、前記親機となる撮像装置による前記共通の被写体の撮像に際して取得される前記親機関連情報として、前記親機となる撮像装置による前記共通の被写体の撮像に際して取得された当該共通の被写体の状態を表す情報を取得し、
前記決定手段は、前記第１取得手段により取得された共通の被写体の状態を表す情報に基づいて、前記複数の撮像装置の撮像条件を決定することを特徴とする請求項１〜５の何れか一項に記載の制御装置。
【請求項８】
前記決定手段は、前記第１取得手段により取得された共通の被写体の色の状態を表す情報に基づいて、前記複数の撮像装置の撮像条件としてホワイトバランスを決定することを特徴とする請求項７に記載の制御装置。
【請求項９】
前記親機以外の子機となる撮像装置による前記共通の被写体の撮像に際して取得された当該共通の被写体の状態を表す情報を取得する第２取得手段と、
前記第１取得手段により取得された前記親機となる撮像装置に係る共通の被写体の状態を表す情報及び前記第２取得手段により取得された前記子機となる撮像装置に係る共通の被写体の状態を表す情報に基づいて、前記複数の撮像装置の撮像条件を決定する第２決定手段とを更に備えたことを特徴とする請求項７に記載の制御装置。
【請求項１０】
前記共通の被写体の状態を表す情報は、前記複数の撮像装置の各々による前記共通の被写体の撮像に際して計測された計測値を含み、
前記第２決定手段は、前記複数の撮像装置に係る計測値の代表値を特定して、前記複数の撮像装置の撮像条件を決定することを特徴とする請求項９に記載の制御装置。
【請求項１１】
前記第１取得手段は、前記親機となる撮像装置の撮像条件の設定に際して判断される前記親機関連情報として、ユーザによる所定操作に基づいて設定される撮像パラメータの設定値を取得し、
前記決定手段は、前記第１取得手段により取得された前記撮像パラメータの設定値に基づいて、前記複数の撮像装置の撮像条件を決定することを特徴とする請求項１〜５の何れか一項に記載の制御装置。
【請求項１２】
前記選択手段は、前記複数の撮像装置の中で、前記親機となる撮像装置を逐次選択し、
前記第１取得手段は、前記選択手段により逐次選択された親機となる撮像装置に係る前記親機関連情報を逐次取得し、
前記決定手段は、前記第１取得手段により逐次取得された親機関連情報に基づいて、前記複数の撮像装置の撮像条件を逐次決定することを特徴とする請求項１〜１１の何れか一項に記載の制御装置。
【請求項１３】
前記選択手段は、前記共通の被写体の撮像に関する複数の撮像装置の状態を取得し、この取得した複数の撮像装置の状態に基づいて、自装置が親機となるか子機となるかを選択し、
前記第１取得手段は、前記選択手段により自装置が子機となることが選択された場合に、前記親機関連情報を親機となった撮像装置から所定の通信回線を介した通信により取得することを特徴とする請求項１〜１２の何れか一項に記載の制御装置。
【請求項１４】
共通の被写体を同期して撮像する複数の撮像装置と、これらを制御する制御装置とを備える制御システムであって、
前記制御装置は、
前記複数の撮像装置の中で、各撮像装置の撮像条件を連携させる処理の親機となる撮像装置を、前記共通の被写体の撮像に関する各撮像装置の状態に基づいて選択する選択手段と、
前記選択手段により選択された、親機となる撮像装置による前記共通の被写体の撮像に際して取得される親機関連情報、或いは、親機となる撮像装置の撮像条件の設定に際して判断される親機関連情報、を取得する取得手段と、
前記取得手段により取得された親機関連情報に基づいて、前記複数の撮像装置の撮像条件を決定する決定手段と、
を備えたことを特徴とする制御システム。
【請求項１５】
共通の被写体を同期して撮像する複数の撮像装置を制御する制御装置を用いた制御方法であって、
前記複数の撮像装置の中で、各撮像装置の撮像条件を連携させる処理の親機となる撮像装置を、前記共通の被写体の撮像に関する各撮像装置の状態に基づいて選択する処理と、
選択された、親機となる撮像装置による前記共通の被写体の撮像に際して取得される親機関連情報、或いは、親機となる撮像装置の撮像条件の設定に際して判断される親機関連情報、を取得する処理と、
取得された親機関連情報に基づいて、前記複数の撮像装置の撮像条件を決定する処理と、
を含むことを特徴とする制御方法。
【請求項１６】
共通の被写体を同期して撮像する複数の撮像装置を制御する制御装置のコンピュータを、
前記複数の撮像装置の中で、各撮像装置の撮像条件を連携させる処理の親機となる撮像装置を、前記共通の被写体の撮像に関する各撮像装置の状態に基づいて選択する選択手段、
前記選択手段により選択された、親機となる撮像装置による前記共通の被写体の撮像に際して取得される親機関連情報、或いは、親機となる撮像装置の撮像条件の設定に際して判断される親機関連情報、を取得する取得手段、
前記取得手段により取得された親機関連情報に基づいて、前記複数の撮像装置の撮像条件を決定する決定手段、
として機能させることを特徴とするプログラム。